(57)【要約】      （修正有）【課題】耐水性及び耐久性に優れ、また地球環境にも優しいＭＤＦ板の積層体からなる手洗いボウルを提供する。【解決手段】ＭＤＦ板の単板を接着剤により２枚以上積層接着した積層体を切削加工して得られるボウル本体１の表面に、ウレタン系樹脂、メラミン系樹脂、ポリエステル系樹脂、漆の１種または２種以上を含浸あるいは塗布する。前記接着剤は、耐水性を有した木質材用接着剤である。また前記ボウル本体１は、積層体を立体的に切削加工することにより得られた木質模様を有するものである。【選択図】図１
0003168419.tif 000002
【実用新案登録請求の範囲】
【請求項１】
ＭＤＦ板の単板を接着剤により２枚以上積層接着した積層体を切削加工して得たボウル本体の表面に、ウレタン系樹脂、メラミン系樹脂、ポリエステル系樹脂、漆の１種または２種以上を含浸あるいは塗布したことを特徴とするＭＤＦ板の積層体からなる手洗いボウル。
【請求項２】
接着剤は、耐水性を有した木質材用接着剤である請求項１に記載のＭＤＦ板の積層体からなる手洗いボウル。
【請求項３】
ボウル本体は、積層体を立体的に切削加工することにより得られた木質模様を有するものである請求項１に記載のＭＤＦ板の積層体からなる手洗いボウル。
【考案の詳細な説明】
【技術分野】
【０００１】
本考案は、耐水性及び耐久性に優れ、また地球環境にも優しいＭＤＦ板の積層体からなる手洗いボウルに関するものである。
【背景技術】
【０００２】
従来から、洗面所・トイレ等に使用される手洗いボウルとしては耐水性に優れた陶器等の材質が多く使われている。陶器製の手洗いボウルは、金型を形成したうえ、この金型で原料である粘土を圧縮成型し製造するため大量生産に向いている。しかし、デザイン性を求めると金型の成形が難しく高コストになるという問題があった。
【０００３】
一方、最近では生活様式が多様化して、手洗いボウルにも種々のデザイン性を求められるようになり、陶器以外の合成樹脂・ガラス・大理石・木製等の様々な材質でも手洗いボウルが成形されるようになってきた。特に、木製の製品は感触・風合いが優しいため人気がある。
このため、廃棄木材チップ等を細かく綿状に解繊した繊維を接着剤と共に熱圧成板した中質繊維板（ミディアム・デンシティ・ファイバーボード、以下、ＭＤＦ板と称する）を利用した各種の製品の開発がなされており、例えば、特許文献１や特許文献２が提案されている。
【０００４】
しかしながら、前記ＭＤＦ板は、水分の吸い込みによる膨張、狂い、木口割れを生じるという問題や、所定以上の強度を必要とする用途には使用できないという問題があった。従って、高い耐水性と耐久性が要求される手洗いボウルには、ＭＤＦ板を適用することはできなかった。
【先行技術文献】
【特許文献】
【０００５】
【特許文献１】特開平６−２７２３６６号公報
【特許文献２】特開２００１−３２５１５号公報
【考案の概要】
【考案が解決しようとする課題】
【０００６】
本考案は上記のような問題点を解決して、木質模様を有しデザイン性に優れており、また耐水性及び耐久性にも優れており、更には地球環境保護の観点から地球環境にも優しいＭＤＦ板の積層体からなる手洗いボウルを提供することを目的として完成されたものである。
【課題を解決するための手段】
【０００７】
上記課題を解決するためになされた本考案のＭＤＦ板の積層体からなる手洗いボウルは、ＭＤＦ板の単板を接着剤により２枚以上積層接着した積層体を切削加工して得た木質のボウル本体の表面に、ウレタン系樹脂、メラミン系樹脂、ポリエステル系樹脂、漆の１種または２種以上を含浸あるいは塗布したことを特徴とするものである。
【０００８】
前記接着剤は耐水性を有した木質材用接着剤が好ましく、これを請求項２に係る考案とする。また、前記ボウル本体は、積層体を立体的に切削加工することにより得られた木質模様を有するものが好ましく、これを請求項３に係る考案とする。
【考案の効果】
【０００９】
請求項１に係る考案では、ＭＤＦ板の単板を接着剤により２枚以上積層接着した積層体を切削加工して得たボウル本体の表面に、ウレタン系樹脂、メラミン系樹脂、ポリエステル系樹脂、漆の１種または２種以上を含浸あるいは塗布したので、耐水性及び耐久性に優れて長時間の使用に耐える手洗いボウルを提供することができ、また、間伐材や廃棄木材等を原料とするため地球環境保護の観点からも好ましく、木材資源の有効活用も図ることができる。
【００１０】
請求項２に係る考案では、接着剤は、耐水性を有した木質材用接着剤であり、ＭＤＦ板を強固に接着することができ、その後の積層体の切削加工や掘り抜き加工やくり抜き加工を容易に行えることとなる。
【００１１】
請求項３に係る考案では、ボウル本体は、積層体を立体的に切削加工することにより得られた木質模様を有するものであり、巨木以上の大きさの積層体を様々な形に切削加工することが可能で、意匠性に富んだ形を小ロット・低コストで生産することができ、また木質の風合いや感触が活かされた優れたデザインの手洗いボウルを提供することが可能となる。
【図面の簡単な説明】
【００１２】
【図１】本考案の実施の形態を示す斜視図である。
【図２】複数枚のＭＤＦ板を積層接着した積層体を示す斜視図である。
【図３】複数枚のＭＤＦ板を積層接着したその他の積層体を示す斜視図である。
【図４】複数枚のＭＤＦ板を積層接着したその他の積層体を示す斜視図である。
【考案を実施するための形態】
【００１３】
以下に、図面を参照しつつ本考案の好ましい実施の形態を示す。
図１は、本考案の手洗いボウルを示す斜視図であり、ＭＤＦ板の単板を接着剤により２枚以上積層接着した積層体を切削加工して得た木質のボウル本体の表面に、ウレタン系樹脂、メラミン系樹脂、ポリエステル系樹脂、漆の１種または２種以上を含浸あるいは塗布した構造となっている。
【００１４】
前記ＭＤＦ板は、木材チップを細かく綿状に解繊した繊維を接着剤と共に熱圧成板した木質繊維板であり、軽量で高い強度を有しているので、各種建築用材料や家具製品等として使用されている。また、ＭＤＦ板は、素材として間伐財や廃棄木材等を利用できるという優れた特徴を有しており、更には、使用後細かく砕き土に戻すとバクテリア等が分解し土に蘇ることができる再生可能な材料であるため、資源の循環型社会に大きく貢献するものであり、森林資源の有効活用、或いは世界的な森林資源の枯渇等の地球環境問題を考慮して注目されている素材である。
【００１５】
本考案では、前記ＭＤＦ板１０の単板を接着剤により２枚以上積層接着して積層体１１を形成し、この積層体１１を切削加工して木質のボウル本体１としている。
前記積層体１１は、例えば図２に示すように、ＭＤＦ板１０の単板を水平方向に積層したものや、図３に示すように、ＭＤＦ板１０の単板を水平方向に積層したものと縦方向に並べて積層したものとを側面で接着したものや、図４に示すように、ＭＤＦ板１０の単板を水平方向に積層したものと、縦方向に並べて積層したものとを上下方向で一体接着したもの等があるが、その他、ＭＤＦ板１０の単板を任意に組み合わせて積層できることは勿論である。
【００１６】
なお、図示のものは外周が円形状のボウルであるが、楕円形状や矩形状のもの等、任意の形状とすることができる。また、接着剤としては、例えば、水性高分子イソシアネート系接着剤のような耐水性を有した木質材用接着剤を用いると接着強度が強く好ましい。
【００１７】
このように、２枚以上のＭＤＦ板１０を接着剤で結合し積層することにより、より強度が増し、長時間の使用に耐えることが可能となった。また、天然木に有りがちなゆがみ、ねじれ、割れ等を回避し、そのうえ然木と変わらない感触及び木質模様を有し、且つ強度・粘り強さが天然木の1.5〜3倍にも達し、長時間使用しても表面に凸が生じないといった優れた効果を発揮することができる。更に、ＭＤＦ板１０の単板を複数枚積層接着することで巨木以上の大きさにすることができ、様々な形状に容易に加工できて意匠性に富んだ形状のボウルを小ロット・低コストで生産できることとなる。
【００１８】
このようにして得られた積層体１１は、切削加工や掘り抜き加工やくり抜き加工されてボウル本体１とされた後、このボウル本体１の表面に、ウレタン系樹脂、メラミン系樹脂、ポリエステル系樹脂、漆の１種または２種以上が含浸あるいは塗布される。
これにより、水や湿気に対しても安定していて耐水性及び耐久性を一層高めることができるため、手洗いボウルの使用にも供することが可能である。また、前記の塗装する樹脂等は透明であるため、木質模様が発現していてデザイン的にも優れたものとなっている。なお、このウレタン系樹脂等の塗布等により、強度も約２００ｋｇ／ｃｍ２以上に増加させることができ、天然木よりも強度的に優れた製品を得ることが可能となる。
【００１９】
以上の説明からも明らかなように、本考案は素材と成るＭＤＦ板が、木材チップを細かく綿状に解繊したものなので、幼年木や間伐材をも利用でき、森林資源の有効利用ができるものである。また、本考案は、ＭＤＦ板の単板を接着剤により２枚以上積層接着した積層体として強度を増加させており、更に切削加工して得たボウル本体の表面に、ウレタン系樹脂等を含浸或いは塗布することで一層の強度増を図っている。その結果、天然木よりも耐水性、耐久性、強度性に優れた製品を得ることが可能となった。また、ＭＤＦ板を使用しているので、空隙が形成されており各種溶剤等が含浸、浸透しやすく、強度等の均一化が図れ、天然木特有の割れ、狂い、歪み、虫食い等が一切生じることがなく、またササクレやトゲが生じることもなく安全である。更に、木質繊維板を積層使用しているので、年輪のような模様を必要に応じて様々な形状で創出することができて天然木の美しさを得ることができ、また触れた時の感触も天然木と同様である等の種々の効果を発揮することができる。
【符号の説明】
【００２０】
１  ボウル本体
１０  ＭＤＦ板
１１  積層体
【図１】
0003168419.tif 000003
【図２】
0003168419.tif 000004
【図３】
0003168419.tif 000005
【図４】
0003168419.tif 000006